(57)【要約】【課題】事象の発生時刻の予測の度合を視認し易く表示する。【解決手段】時刻を示す第１数直線及びレベルを示す第２数直線で設定される一の象限に事象が発生した場合の様子を表示する表示部と、事象の発生時刻を予測する予測部と、予測部が事象の発生時刻の予測を行う時刻に第２数直線と同一方向に延在する所定レベルの第１線分と、予測部が予測する事象の発生時刻に第２数直線と同一方向に延在する所定レベルの第２線分と、第２数直線の０レベルから離れる側の第１線分及び第２線分の一端と接続される第３線分と、を表示部の一の象限に事象の発生の様子とともに表示させる制御部と、を備えてなる表示装置。【選択図】図１
2008040911.tif 000002
【特許請求の範囲】
【請求項１】
時刻を示す第１数直線及びレベルを示す第２数直線で設定される一の象限に事象が発生した場合の様子を表示する表示部と、
前記事象の発生時刻を予測する予測部と、
前記予測部が前記事象の発生時刻の予測を行う時刻に前記第２数直線と同一方向に延在する所定レベルの第１線分と、前記予測部が予測する前記事象の発生時刻に前記第２数直線と同一方向に延在する所定レベルの第２線分と、前記第２数直線の０レベルから離れる側の前記第１線分及び前記第２線分の一端と接続される第３線分と、を前記表示部の前記一の象限に前記事象の発生の様子とともに表示させる制御部と、
を備えたことを特徴とする表示装置。
【請求項２】
前記第２数直線のレベルは、負荷の電力使用量を示し、
前記事象の発生とは、前記負荷が動作している状態から停止した場合の電力使用量の変化の様子である、ことを特徴とする請求項１に記載の表示装置。
【請求項３】
前記第１線分及び前記第２線分は所定の電力使用量と同一レベルである、ことを特徴とする請求項２に記載の表示装置。
【請求項４】
時刻を示す第１数直線及びレベルを示す第２数直線で設定される一の象限に事象が発生した場合の様子を表示し、
前記事象の発生時刻を予測し、
前記事象の発生時刻の予測を行う時刻に前記第２数直線と同一方向に延在する所定レベルの第１線分と、予測される前記事象の発生時刻に前記第２数直線と同一方向に延在する所定レベルの第２線分と、前記第２数直線の０レベルから離れる側の前記第１線分及び前記第２線分の一端と接続される第３線分と、を前記一の象限に前記事象の発生の様子とともに表示させる、
ことを特徴とする表示装置の表示方法。
【請求項５】
コンピュータに、
時刻を示す第１数直線及びレベルを示す第２数直線で設定される一の象限に事象が発生した場合の様子を表示する機能と、
前記事象の発生時刻を予測する機能と、
前記事象の発生時刻の予測を行う時刻に前記第２数直線と同一方向に延在する所定レベルの第１線分と、予測される前記事象の発生時刻に前記第２数直線と同一方向に延在する所定レベルの第２線分と、前記第２数直線の０レベルから離れる側の前記第１線分及び前記第２線分の一端と接続される第３線分と、を前記一の象限に前記事象の発生の様子とともに表示させる機能と、
を実行させるためのプログラム。
【発明の詳細な説明】
【技術分野】
【０００１】
本発明は、表示装置、表示装置の表示方法、及びコンピュータに表示方法を実行させるためのプログラムに関する。
【背景技術】
【０００２】
一般に、事象の発生に関する過去の時系列の情報等に基づいて、この事象の未来の発生時刻を予測しその予測精度を検証する場合、先ず、予測時刻と実測時刻との比較が行われる。この検証を人間系が行う際、事象の発生に関する時系列情報がディスプレイ等を通じて視認可能であれば、その作業効率はより向上する。例えば、事象の大きさの時間変化を線でつないで示す２次元グラフを、事象の発生が検出される都度更新するとともに、時間軸における予測時刻を示す線と併せてディスプレイに表示すれば、人間系は予測精度の検証を効果的に行うことができる。その理由の一つとして、ディスプレイ上での実測時刻における事象の変化を示す線と、予測時刻を示す線との２次元的な近接の度合いが、予測精度として人間の直感にうったえ易いということが挙げられる。
【０００３】
例えば、電力の需要に対し供給のバランスを保つために、需要の変化を予測しつつ、この予測に応じて前もって電力の供給の増減を行う場合（例えば、特許文献１参照。）、前述した２次元グラフを通じて、人間系により予測精度が検証されている。具体例として、中央給電指令所において、或る特定の電力ユーザの負荷が不定期に動作する場合の動作終了時刻が予測される場合、同所の操作員は、ディスプレイ等を通じてこの負荷の累積電力量の時間変化を観察しつつ、動作終了時刻の予測精度の度合いを把握することができる。
【０００４】
図９に例示されるように、負荷の累積電力量が時間とともに例えば一定の増加率で増加し、或る時刻で急峻にゼロとなる様子が２次元グラフとしてディスプレイに表示されるものとする。同図は、横軸の時間に対し負荷の累積電力量の変化を縦軸に示すグラフである。但し、累積電力量は、負荷が動作している間は時間の経過とともに累積し、負荷の動作が停止するとゼロに降下する電力量を意味するものとする。この例示では、負荷の動作には、累積電力量が略ＳＡに達して終了する連続動作と、累積電力量が略ＳＢに達して終了する連続動作との２種類があり、この２種類の連続動作が交互に実行される。この２次元グラフでは、縦軸における総電力量ＳＡ及びＳＢを示す２本の横線と、各連続動作における予測終了時刻及びこの予測が行われた時刻（予測実施時刻）を示す２本の縦線とが表示されている。例えば、総電力量ＳＡの連続動作に対応するパルスの場合、パルスＡ’は予測終了時刻通りにＳＡからゼロに立下がり、パルスＡは予測終了時刻よりも遅れて且つ累積電力量がＳＡを超えてから立下がり、パルスＡ”は予測終了時刻よりも早く且つ累積電力量がＳＡに達する前に立下がっている。尚、総電力量ＳＢの連続動作に対応するパルスＢ、Ｂ’、Ｂ”に関しても同様である。操作員は、図９の２次元グラフを見て、例えば、ＳＡを示す横線と、パルスＡ、Ａ’、Ａ”の総電力量を示す頂点とのずれ又は一致の度合を判断したり、予測実施時刻と対をなす分離した予測終了時刻を示す縦線と、パルスＡ、Ａ’、Ａ”の立下り時刻における変化を示す線とのずれ又は一致の度合を判断したりすることにより、予測精度を検証する。
【０００５】
図１０に例示されるように、ディスプレイ上では、各パルス、予測実施時刻、及び予測終了時刻の表示は時間の経過とともに変化する。同図は、図９のグラフにおけるパルスＡ”の表示の時間経過を示すグラフである。図１０（ａ）に例示されるように、或る時刻から負荷の動作が開始し、累積電力量がゼロからＳＡに向かって所定の増加率で増加している。グラフには、総電力量ＳＡを示す横線が予め表示されている。ここで、予測が実施されると、図１０（ｂ）に例示されるように、グラフには、予測実施時刻とともに、これにより得られた予測終了時刻を示す２本の縦線が表示される。操作員は、同図のグラフを見て、パルスＡ”の増加直線が総電力量ＳＡを示す横線に達すると予測終了時刻で立下がると考えて、例えば負荷に対する電力の供給を制御する。図１０（ｃ）に例示されるように、もし累積電力量がＳＡに達する前に予測終了時刻よりも早く立下がった場合、パルスＡ”の立下りを示す線は、予測実施時刻を示す縦線及び予測終了時刻を示す縦線の間に位置することとなる。このように、操作員は、図１０（ｃ）の２次元グラフを見て、例えば、ＳＡを示す横線とパルスＡ”の総電力量を示す頂点とのずれ又は一致の度合や、予測終了時刻を示す縦線とパルスＡ”の立下り時刻における変化を示す線とのずれ又は一致の度合等を判断する。
【特許文献１】特開２００１−２３８３５５号公報
【発明の開示】
【発明が解決しようとする課題】
【０００６】
しかしながら、前述した表示では、ディスプレイにおける或るパルスに関する予測精度を検証する場合、操作員は、先ず、このパルスの発生中に生じる予測実施時刻を示す縦線と対をなす分離した縦線を、同パルスの予測終了時刻に該当するものと認識する必要がある。この後、操作員は、予測終了時刻を示す縦線と、パルスの立下りを示す線とのずれ又は一致の度合を視認するとともに、所定の総電力量を示す横線と負荷の総電力量を示す頂点とのずれ又は一致の度合を視認する必要がある。各パルスについてこのような認識及び視認作業を行うことは操作員にとって手間であるため、これは予測精度の検証作業の効率を低下させる虞がある。
【０００７】
尚、以上述べた予測精度の検証のための表示は、図９及び図１０の例示に限定されるものではなく、一般に、事象の発生時刻を予測した場合の人間系による予測精度の検証に適用できる。
【０００８】
本発明はかかる課題に鑑みてなされたものであり、その目的とするところは、事象の発生時刻の予測の度合を視認し易く表示することにある。
【課題を解決するための手段】
【０００９】
前記課題を解決するための発明は、時刻を示す第１数直線及びレベルを示す第２数直線で設定される一の象限に事象が発生した場合の様子を表示する表示部と、前記事象の発生時刻を予測する予測部と、前記予測部が前記事象の発生時刻の予測を行う時刻に前記第２数直線と同一方向に延在する所定レベルの第１線分と、前記予測部が予測する前記事象の発生時刻に前記第２数直線と同一方向に延在する所定レベルの第２線分と、前記第２数直線の０レベルから離れる側の前記第１線分及び前記第２線分の一端と接続される第３線分と、を前記表示部の前記一の象限に前記事象の発生の様子とともに表示させる制御部と、を備えてなる表示装置である。
【００１０】
この表示装置によれば、表示部の一の象限において第１線分と第２線分とは第３線分で接続されているため、人間系は、予測部が発生時刻を予測する時刻と、予測される発生時刻とを関連付けて視認することができる。また、この第１線分及び第２線分は、事象の発生の様子とともに表示部に表示されているため、人間系は、例えば、事象の実際の発生時刻と、予測される発生時刻との一致又はずれの度合を視認し易くなる。つまり、この表示装置によれば、人間系は、事象の発生時刻の予測の度合を視認し易くなる。
【００１１】
また、かかる表示装置において、前記第２数直線のレベルは、負荷の電力使用量を示し、前記事象の発生とは、前記負荷が動作している状態から停止した場合の電力使用量の変化の様子である、ことが好ましい。  
この表示装置によれば、人間系は、例えば、負荷の動作の実際の停止時刻と、予測される停止時刻との一致又はずれの度合を視認し易くなる。これは、負荷の電力使用量の予測精度の向上につながり得る。
【００１２】
また、かかる表示装置において、前記第１線分及び前記第２線分は所定の電力使用量と同一レベルである、ことが好ましい。  
この表示装置によれば、予測の度合を認識するためのもう１つの指標を、第１線分及び第２線分のレベルと、実際の所定の電力使用量との間のずれ又は一致の度合とすることができる。
【００１３】
また、前記課題を解決するための発明は、時刻を示す第１数直線及びレベルを示す第２数直線で設定される一の象限に事象が発生した場合の様子を表示し、前記事象の発生時刻を予測し、前記事象の発生時刻の予測を行う時刻に前記第２数直線と同一方向に延在する所定レベルの第１線分と、予測される前記事象の発生時刻に前記第２数直線と同一方向に延在する所定レベルの第２線分と、前記第２数直線の０レベルから離れる側の前記第１線分及び前記第２線分の一端と接続される第３線分と、を前記一の象限に前記事象の発生の様子とともに表示させる、ことを特徴とする表示装置の表示方法である。
【００１４】
また、前記課題を解決するための発明は、コンピュータに、時刻を示す第１数直線及びレベルを示す第２数直線で設定される一の象限に事象が発生した場合の様子を表示する機能と、前記事象の発生時刻を予測する機能と、前記事象の発生時刻の予測を行う時刻に前記第２数直線と同一方向に延在する所定レベルの第１線分と、予測される前記事象の発生時刻に前記第２数直線と同一方向に延在する所定レベルの第２線分と、前記第２数直線の０レベルから離れる側の前記第１線分及び前記第２線分の一端と接続される第３線分と、を前記一の象限に前記事象の発生の様子とともに表示させる機能と、を実行させるためのプログラムである。
【発明の効果】
【００１５】
事象の発生時刻の予測の度合を視認し易く表示できる。
【発明を実施するための最良の形態】
【００１６】
＝＝＝負荷動作予測装置＝＝＝
図１を参照しつつ、本実施の形態の負荷動作予測装置１０の構成例について説明する。同図は、本実施の形態の発電機１、負荷２、負荷動作予測装置１０、及び電力供給制御装置２０の構成例を示すブロック図である。
【００１７】
本実施の形態では、発電所の発電機１からユーザの負荷２へ流通経路３を通じて電力供給が可能となっており、この発電機１は所定の通信線（不図示）を通じて電力供給制御装置２０により制御される。尚、同図に例示される流通経路３は、発電機１から負荷２にかけての送電線、配電線、変圧器等により構成されるいわゆる電力系統に相当する。また、本実施の形態では、電力供給制御装置２０は、負荷動作予測装置１０とともに中央給電指令所に設置されている。中央給電指令所の操作員は、負荷動作予測装置１０の後述するスピーカ１２０又はディスプレイ１３０を通じて負荷動作の開始及び終了を事前に認識すると、電力供給制御装置２０を通じて発電機１へその出力の上昇や降下等の指令信号（発電電力指令値）を送信することにより、負荷２に対する電力の供給量を制御するようになっている。
【００１８】
図１に例示されるように、本実施の形態の負荷動作予測装置１０は、制御部１００と、受信部１１０と、スピーカ１２０と、ディスプレイ１３０と、タイマ１４０と、ＲＯＭ１５０と、ＲＡＭ１６０とを備えて構成されるものである。
【００１９】
制御部（表示部、予測部、制御部）１００は、受信部１１０、スピーカ１２０、ディスプレイ１３０、タイマ１４０、ＲＯＭ１５０、及びＲＡＭ１６０を統括管理して、主に、負荷２からの負荷情報に基づいて、その動作の開始時刻及び終了時刻を予測し、その予測結果を負荷情報とともに表示する機能を有するものである。
【００２０】
受信部１１０は、負荷２から所定の通信線（不図示）を通じて送信される負荷情報（例えば後述する電力量等）を受信する機能を有するものである。
【００２１】
スピーカ１２０は、負荷動作の開始及び終了を示す情報（予測開始時刻や予測終了時刻等）を操作員に通知するためのものである。
【００２２】
ディスプレイ（表示部）１３０は、時間軸に対し負荷２の累積電力量（電力使用量）を２次元グラフとして表示するものである。尚、本明細書では、累積電力量は、負荷２が動作している間は時間の経過とともに累積し、負荷２の動作が停止するとゼロに降下する電力量を意味するものとする。
【００２３】
タイマ１４０は、例えば負荷動作の実際の開始時刻や終了時刻等を計時するものである。
【００２４】
ＲＯＭ１５０は、制御部１００が前述した予測や表示等を行うための所定のプログラム等を記憶するものである。
【００２５】
ＲＡＭ１６０は、負荷２が単位時間（例えば後述する１０秒間）に消費する単位電力量や負荷２の動作開始の前兆を示す信号等からなる負荷情報データ１６０ａと、この負荷情報データ１６０ａにおける動作開始条件を示す動作開始条件データ１６０ｂと、前記単位電力量を時間で積分した累積電力量を示す累積電力量データ１６０ｃと、負荷２の動作終了時刻が予測された時刻から予測終了時刻までの時間帯を示す予測時間帯データ１６０ｄとを記憶するものである。
【００２６】
尚、本発明の表示装置は、例えば、前述した負荷動作予測装置１０における制御部１００と、ディスプレイ１３０と、ＲＯＭ１５０と、ＲＡＭ１６０とを備えて構成されるものである。但し、これに限定されるものではなく、本発明の表示装置は、例えば、負荷動作予測装置１０であってもよい。
【００２７】
＜＜＜負荷情報データ及び動作開始条件データ＞＞＞
図２を参照しつつ、前述したＲＡＭ１６０に記憶される負荷情報データ１６０ａの構成例について説明する。同図は、本実施の形態の負荷２がもたらす負荷情報データ１６０ａの構成例を示す図表である。同図に例示される負荷情報データ１６０ａは、例えば負荷２から送信される情報からなるものである。具体的には、この負荷情報データ１６０ａは、日付・時刻に対し、単位電力量、負荷２の入り・切り情報にかかる信号ａ、負荷２の入り・切り情報にかかる信号ｂ等のいわゆる状変情報が対応付けられて構成されている。
【００２８】
負荷２（例えば電気炉等）には、例えば１０秒間（単位時間）に消費する電力量（単位電力量）を検出する所定の検出部（不図示）が設けられている。検出された単位電力量は電圧に変換され、日付・時刻を示す情報とともに、前述した所定の通信線を通じて受信部１１０へ１０秒おきに送信される。尚、単位電力量を与える単位時間は１０秒間に限定されるものではない。また、日付・時刻を示す情報は必ずしも負荷２から与えられる情報である必要はなく、例えば前述したタイマ１４０が計時して得た情報であってもよい。
【００２９】
また、本実施の形態の負荷２には、信号ａ、信号ｂを出力する所定の出力部（不図示）が設けられている。これらの信号は、出力部から出力される都度、この出力と同期して出力される単位電力量とともに受信部１１０へ送信される。
【００３０】
図２では、信号ａ：ＯＮと、負荷２の動作開始との間には所定の相関がある上に、信号ｂ：ＯＮと、負荷２の動作開始との間にも所定の相関があるように例示されている。つまり、信号ａ：ＯＮから所定時間後に負荷２が動作を開始し、信号ｂ：ＯＮから所定時間後に負荷２が動作を開始することとなっているが、これらの所定の相関は、本実施の形態では、例えば経験則として知得されるものとする。一例を挙げれば、受信部１１０が信号ａ又は信号ｂを受信したとき、過去所定時間内に受信した単位電力量が所定範囲内にある場合、直近の未来に起こり得る負荷２の動作開始と強い相関があることが経験則として知得されているものとする。このため、前述したＲＡＭ１６０は、信号ａ又は信号ｂの受信前の所定時間内において所定範囲内にある単位電力量を示す情報等を動作開始条件データ１６０ｂとして予め記憶している。前述した制御部１００は、負荷情報データ１６０ａが動作開始条件データ１６０ｂに適合するか否かを判別し、もし適合する場合、信号ａ又は信号ｂの受信時から所定時間後に負荷２が動作を開始する旨の情報を生成するようになっている。
【００３１】
尚、本実施の形態の動作開始条件データ１６０ｂは、例えば、操作員が所定の端末（不図示）を通じて予めＲＡＭ１６０に記憶させておくものとする。そして、この動作開始条件データ１６０ｂは、前述した経験則に基づく予測精度が向上する都度、更新されるものとする。
【００３２】
＜＜＜累積電力量データ＞＞＞
図３及び図４を参照しつつ、前述したＲＡＭ１６０に記憶される累積電力量データ１６０ｃを用いて負荷２の動作開始の時刻を予測できることを経験則として知得する経緯の一例について説明する。図３は、負荷２が消費する単位電力量の１年間にわたる時間経過の一例を示す時間ダイアグラムである、図４は、本実施の形態の負荷２が１サイクル分の操業をする際に消費する単位電力量及び累積電力量の時間変化の一例を示す時間ダイアグラムである。
【００３３】
図３の例示では、負荷２の２回の連続動作（“Ａ”及び“Ｂ”）が、この負荷２の１サイクルの操業を構成している。同図では、前述した負荷情報データ１６０ａ（図２）における１日分の負荷２の単位電力量の時間ダイアグラムが１年分並べて構成されている。例えば１年間のうちの第（Ｎ−１）日目では、Ｑ’の周りに値が分布する単位電力量を有する連続動作Ａ及び連続動作Ｂが複数回起きている。同様に、第Ｎ日目、第（Ｎ＋１）日目では、それぞれＱ、Ｑ”の周りに値が分布する単位電力量を有する連続動作が複数回起きている。また、１回の連続動作Ａ、Ｂの範囲内では、単位電力量は略等しい値に保たれている。
【００３４】
本実施の形態では、同一日において、単位電力量は複数回にわたって例えばＱから多少変位するとしても、１回の連続動作Ａ（又はＢ）において積分した総電力量ＳＡ（又はＳＢ）は複数回にわたって略等しいことが、例えば経験則として知得されているものとする。尚、同図の例示では、総電力量ＳＡ及びＳＢの大きさの相違は、略等しい単位電力量Ｑに対しその連続動作時間の相違を反映するものである。
【００３５】
図４に例示されるように、前述した通り、２回の連続動作Ａ、Ｂが、負荷２の１サイクルの操業を構成している。同図の例示では、各連続動作Ａ、Ｂ中に消費される単位電力量は所定値Ｑに略保持されている。また、前述したように、連続動作Ａ、Ｂの総電力量は、例えば１日にわたって、所定値ＳＡ、ＳＢにそれぞれ略等しいことが知得されている（図３参照）。これは、図４に例示される実線Ａ及び実線Ｂがともに傾きの一定のパルスをなすとともに、各終了時刻ｔＡ２、ｔＢ２における高さＳＡ、ＳＢが例えば１日にわたってそれぞれ略等しいことと等価である。そこで、前回のサイクルにおける連続動作Ａで求められている総電力量ＳＡを、今回のサイクルにおける連続動作Ａで求められた単位電力量Ｑで除算して得た時間を、今回のサイクルにおける連続動作Ａの予測動作時間ＴＡとすることができる。
【００３６】
尚、負荷２の動作開始にかかる情報の取得のし方は、前述した経験則等に限定されるものではなく、要するに、負荷２の動作開始を予め知り得る方法であれば、いかなるものであってもよい。
【００３７】
＝＝＝表示方法＝＝＝
図５及び図６を参照しつつ、前述した構成を備えた負荷動作予測装置１０による負荷動作の予測及び表示方法について説明する。図５は、本実施の形態の負荷動作予測装置１０が負荷動作の予測及び表示方法を実行する際の制御部１００の処理の手順の一例を示すフローチャートである。図６は、本実施の形態の負荷２の連続動作にともなう累積電力量の表示の時間経過を示すグラフである。
【００３８】
図５に例示されるように、制御部１００は、受信部１１０により負荷２から負荷情報が受信される都度、この負荷情報における単位電力量を時間で積分した累積電力量（負荷２が連続動作していない間はゼロ）を累積時間に対し２次元グラフとしてディスプレイ１３０に表示する（Ｓ１００）。
【００３９】
また、制御部１００は、受信部１１０により負荷２から負荷情報が受信される都度、この負荷情報を含む負荷情報データ１６０ａが、ＲＡＭ１６０に予め記憶されている動作開始条件データ１６０ｂに適合するか否かを判別している（Ｓ１０１）。つまり、制御部１００は、負荷情報データ１６０ａが動作開始条件データ１６０ｂに適合するか否かにより、負荷２の動作開始の有無を判別している。負荷情報データ１６０ａが、動作開始条件データ１６０ｂに適合しないと判別した場合（Ｓ１０１：ＮＯ）、制御部１００は、ステップＳ１００の処理を再度実行する。
【００４０】
負荷情報データ１６０ａが、動作開始条件データ１６０ｂに適合すると判別した場合（Ｓ１０１：ＹＥＳ）、制御部１００は、負荷２の予測開始時刻を求める（Ｓ１０２）。予測開始時刻の求め方の一例は以下の通りである。前述した信号ａ又は信号ｂの受信時から負荷２が動作を開始するまでの予測時間を示す情報がＲＡＭ１６０に予め記憶されている。制御部１００は、この受信時刻に対しこの予測時間を加算して予測開始時刻とし、スピーカ１２０又はディスプレイ１３０を通じて、操作員にこの予測開始時刻を通知する。
【００４１】
尚、本実施の形態の負荷動作予測装置１０が操作員に通知する情報は、予測開始時刻に限定されるものではない。例えば、この情報は、操作員が電力供給制御装置２０を通じて発電機１へその出力の上昇等の指令信号（発電電力指令値）を送信する時刻であってもよい。或いは、例えば、負荷動作予測装置１０は、指令信号を送信するべき時刻に操作員に対しスピーカ１２０を通じて警報等を発するものであってもよい。一般に、発電機１の出力上昇速度は、負荷２の需要電力量の増加速度よりも遅いため、出力上昇の指令信号を送信する時刻は、負荷２の動作開始の予測時刻に対し上記速度差に応じた時間だけ早め（例えばおよそ１分前）に設定する必要がある。
【００４２】
制御部１００は、受信部１１０により負荷２から負荷情報が受信される都度、ステップＳ１００の処理、即ち、累積電力量（負荷２が連続動作していない間はゼロ）を累積時間に対し２次元グラフとしてディスプレイ１３０に表示しつつ（Ｓ１０３）、この負荷情報が、負荷２の実際の動作開始に起因するものであるか否かを判別する（Ｓ１０４）。ここで、実際の動作開始に起因する情報とは、例えば負荷情報データ１６０ａ（図２）において単位電力量が０からＱに増加した際の当該Ｑに対応する負荷情報を意味する。負荷情報が実際の動作開始に起因するものではないと判別した場合（Ｓ１０４：ＮＯ）、制御部１００は、ステップＳ１０３の処理を再度実行する。
【００４３】
受信した負荷情報が実際の動作開始に起因するものである（つまり、負荷２が連続動作Ａを開始した）と判別した場合（Ｓ１０４：ＹＥＳ）、制御部１００は、累積電力量（＞０）を累積時間に対し２次元グラフとしてディスプレイ１３０に表示しつつ（Ｓ１０５）、ＲＡＭ１６０に累積電力量データ１６０ｃとして記憶された過去の連続動作Ａにおける総電力量ＳＡと、受信部１１０により負荷情報として受信された現在の連続動作Ａにおける単位電力量Ｑとに基づいて、予測終了時刻ｔＡ２を求める（Ｓ１０６）。また、制御部１００は、ステップＳ１０６において予測終了時刻ｔＡ２を求めた時刻ｔＡｙからこのｔＡ２までの時間帯を示す予測時間帯データ１６０ｄを生成し、これを前述した累積電力量とともにディスプレイ１３０に表示する（Ｓ１０７）。
【００４４】
具体的には、ステップＳ１０５における或る時刻ｔＡｘでは、累積電力量を示すパルスは、ディスプレイ１３０上で傾き一定の線分Ａ”をなしている（図６（ａ））。ステップＳ１０６において予測終了時刻ｔＡ２が求められると、求めた時刻ｔＡｙでは、時間軸から垂直方向に総電力量ＳＡに至る線分Ｃａがディスプレイ１３０上で線分Ａ”とともに表示される（図６（ｂ））。時刻ｔＡｙ以後、この線分Ｃａは、時刻ｔＡｙ及び総電力量ＳＡで直角に曲がり、予測時間帯Ｃａとして、時間の経過とともに時間軸に平行に伸びる（図６（ｃ））。尚、予測終了時刻ｔＡ２が求められる時刻ｔＡｙは、実際の動作開始時刻ｔＡ１と予測終了時刻ｔＡ２との間であればいかなる時刻であってもよい。但し、予測は早く行われた方がよいため、一般に、予測技術の向上とともに、時刻ｔＡｙは時刻ｔＡ１に近づく傾向にある。
【００４５】
例えば、２回の連続動作Ａ、Ｂは、この負荷２の１サイクルの操業を構成している。本実施の形態では、各連続動作Ａ、Ｂ中に消費される単位電力量は所定値Ｑに略保持されている（図４）。また、前述したように、連続動作Ａ、Ｂの総電力量は、例えば１日にわたって、所定値ＳＡ、ＳＢにそれぞれ略等しいことが知得されている（図３）。これは、図４において、実線Ａ及び実線Ｂがともに傾きの一定のパルスをなすとともに、各終了時刻ｔＡ２、ｔＢ２における高さＳＡ、ＳＢが例えば１日にわたってそれぞれ略等しいことと等価である。そこで、ステップＳ１０６では、前回のサイクルにおける連続動作Ａで求められている総電力量ＳＡを、今回のサイクルにおける連続動作Ａで求められた単位電力量Ｑで除算して得た時間ＴＡを、今回のサイクルにおける連続動作Ａの開始時刻ｔＡ１に加算して、予測終了時刻ｔＡ２が求められる。
【００４６】
ここで、前回のサイクルの総電力量ＳＡは、例えば１日において今回より以前の１回のサイクルで求められた総電力量であってもよいし、例えば１日において今回より以前の複数回のサイクルで求められた総電力量の平均電力量であってもよい。この場合、１回又は複数回のサイクルは、例えば今回のサイクルの直前のサイクルであってもよいし、或いは、例えば１日における初期のサイクルであってもよい。特に平均電力量の場合、例えば１日における今回より以前の全ての回のサイクルで求められた総電力量の平均をとれば、総電力量の精度がより向上する。
【００４７】
ステップＳ１０６において、制御部１００は、予測終了時刻ｔＡ２を、スピーカ１２０又はディスプレイ１３０を通じて、操作員に通知する。尚、前述と同様に、操作員に通知する情報は、予測終了時刻に限定されるものではなく、操作員が、電力供給制御装置２０を通じて、発電機１へその出力の降下等の指令信号（発電電力指令値）を送信する時刻であってもよい。一般に、発電機１の出力降下速度は、負荷２の需要電力量の減少速度よりも遅いため、出力降下の指令信号を送信する時刻は、負荷２が動作を開始する予測時刻に対し上記速度差に応じた時間だけ早め（例えばおよそ１分前）に設定する必要がある。
【００４８】
次に、制御部１００は、受信部１１０により受信される負荷情報が、負荷２の実際の動作終了に起因するものであるか否かを判別する（Ｓ１０８）。ここで、実際の動作終了に起因する情報とは、例えば負荷情報データ１６０ａ（図２）において単位電力量がＱから０に減少した際の当該０に対応する負荷情報を意味する。受信した負荷情報が実際の動作終了に起因するものでないと判別した場合（Ｓ１０８：ＮＯ）、制御部１００は、ステップＳ１０７の処理を再度実行する。
【００４９】
受信した負荷情報が実際の動作終了に起因するものである（つまり、負荷２が連続動作Ａを終了した）と判別した場合（Ｓ１０８：ＹＥＳ）、制御部１００は、以上のステップＳ１０５〜Ｓ１０７の処理が１回目（連続動作Ａ）に相当する処理であるか、或いは、２回目（連続動作Ｂ）に相当する処理であるかを判別する（Ｓ１０９）。この１回目或いは２回目は、例えば、負荷動作予測装置１０が備える所定のカウンタ（不図示）が、ステップＳ１０５〜Ｓ１０７の処理を繰り返し実行する都度１つインクリメントすることにより識別することができる。
【００５０】
また、制御部１００は、ＲＡＭ１６０に記憶された負荷情報データ１６０ａにおける、実際の開始時刻ｔＡ１と、実際の終了時刻ｔＡ２との間の単位電力量を合計して、今回のサイクルにおける連続動作Ａの実際の総電力量ＳＡを求めてもよい。前述したように、今回のサイクルの予測動作時間ＴＡを求めるために、前回の複数のサイクルの実際の総電力量ＳＡの平均電力量を用いる場合、今回のサイクルの実際の総電力量ＳＡが求められた時点で、これは、次回のサイクルの予測動作時間ＴＡを求めるために使用される。
【００５１】
もし、ステップＳ１０５〜Ｓ１０７の処理が１回目に相当する場合（Ｓ１０９：ＮＯ）、制御部１００は、実際の開始時刻ｔＡ１に対し、例えばＲＡＭ１６０に予め記憶された所定時間ＴＣ（図４）を加算して、連続動作Ｂの予測開始時刻ｔＢ１とする（Ｓ１１０）。次に、制御部１００は、この予測開始時刻ｔＢ１を、スピーカ１２０又はディスプレイ１３０を通じて操作員に通知した後、前述した連続動作Ａの場合と同様に、ステップＳ１０３以後の処理を実行する。
【００５２】
一方、ステップＳ１０５〜Ｓ１０７の処理が２回目に相当する場合（Ｓ１０９：ＹＥＳ）、制御部１００はステップＳ１００以後の処理を実行する。
【００５３】
図６（ｄ）の例示は、ステップＳ１０８：ＹＥＳに対応するパルスＡ”の立下り時刻ｔＡｚが予測終了時刻ｔＡ２よりも早い場合を表わしている。時刻ｔＡｙ及び総電力量ＳＡで直角に曲がった予測時間帯Ｃａは、時間の経過とともに時間軸に平行に伸びる一方、パルスＡ”は、時刻ｔＡｚで立下がっている。ディスプレイ１３０上で、時刻ｔＡｚ以後の予測時間帯Ｃａを表示する処理は、ステップＳ１０３で実行される。一方、図示していないが、ステップＳ１０８：ＹＥＳに対応するパルスＡ”の立下り時刻ｔＡｚが予測終了時刻ｔＡ２通り、或いはｔＡ２よりも遅い場合には、ディスプレイ１３０上でのパルスＡ”及び予測時間帯Ｃａを表示する処理は、ステップＳ１０７で実行されることになる。
【００５４】
＝＝＝予測精度の検証＝＝＝
図７に例示されるように、前述したステップＳ１００〜Ｓ１１０で表わされる負荷動作の予測及び表示方法が繰り返し実行されて、ディスプレイ１３０には、例えば、総電力量が略ＳＡである負荷２の連続動作に対応する複数のパルスＡ、Ａ’、Ａ”が表示されるとともに、総電力量が略ＳＢである負荷２の連続動作に対応する複数のパルスＢ、Ｂ’、Ｂ”が表示される。同図は、本実施の形態の負荷２の累積電力量の時間変化を示すグラフである。つまり、このグラフは、時刻ｔを示す横軸（第１数直線）と、累積電力量Ｓを示す縦軸（第２数直線）とにより設定されるｔ、Ｓ＞０の第１象限（一の象限）において負荷２の動作終了の様子を示すものである。
【００５５】
予測終了時刻通りにＳＡからゼロに立下がる三角形状をなすパルスＡ’と、長方形状をなす予測時間帯Ｃａとは、例えば、グラフの縦軸方向の１辺を共通の辺として重なっている。予測終了時刻よりも遅れて且つ累積電力量がＳＡを超えてからゼロに立下がる三角形状をなすパルスＡと、長方形状をなす予測時間帯Ｃａとは、例えば、長方形が三角形の内部に略含まれるように重なっている。予測終了時刻よりも早く且つ累積電力量がＳＡに達する前にゼロに立下がる三角形状をなすパルスＡ”と、長方形状をなす予測時間帯Ｃａとは、例えば、三角形の縦軸方向の１辺が長方形の内部に含まれるように重なっている。
【００５６】
尚、総電力量ＳＢの連続動作に対応するパルスＢ、Ｂ’、Ｂ”及び予測時間帯Ｃｂに関しても同様である。
【００５７】
このように、操作員は、図７の２次元グラフにおける三角形と長方形との時間軸方向の配置の特徴に基づいて、三角形と長方形とが縦軸方向の１辺を共通の辺として重なっているパルスＡ’及びパルスＢ”（予測精度が高い場合）を、他のパルス（予測精度が低い場合）と容易に区別することができる。
【００５８】
また、予測実施時刻を示す線分（第１線分）と、これに対応する予測終了時刻を示す線分（第２線分）とは、時間軸に平行な線分（第３線分）でつながって予測時間帯Ｃａ、Ｃｂとして表示されているため、操作員は、予測実施時刻と予測終了時刻との相互の関連付けを明確に視認できる。
【００５９】
更に、２次元グラフにおける予測時間帯Ｃａ、Ｃｂの縦軸方向の高さは、総電力量ＳＡ、ＳＢにそれぞれ対応しているため、各パルスと、予測時間帯Ｃａ、Ｃｂとのずれ又は一致の度合を認識するためのもう１つの指標を、それぞれの高さのずれ又は一致の度合とすることができる。
【００６０】
以上、本実施の形態の表示装置によれば、図９に例示されるような、ＳＡを示す横線と、パルスＡ、Ａ’、Ａ”の総電力量を示す頂点とのずれ又は一致の度合を判断したり、予測実施時刻と対をなす分離した予測終了時刻を示す縦線と、パルスＡ、Ａ’、Ａ”の立下り時刻における変化を示す線とのずれ又は一致の度合を判断したりする場合に比べて、予測終了時刻の予測の度合を視認し易くなる。
【００６１】
負荷２の動作の予測精度を検証が効率良く行われれば、予測精度自体が向上する可能性がある。これにより、負荷２の動作に伴う需要電力の変動に適した供給電力を設定することができるため、需給バランスの向上がもたらされ得る。
【００６２】
前述した実施の形態では、負荷２の連続動作の終了時刻を予測して、その予測終了時刻の予測精度を検証するべく表示動作を実行するものであったが、これに限定されるものではない。本発明の表示装置は、例えば、前述した負荷２の連続動作の開始時刻に対する予測精度を検証するための表示動作にも適用できる。
【００６３】
図８に例示されるように、例えば、前述したステップＳ１０１（図５）で予測開始時刻を求めた時刻を示す縦軸方向の線分と、予測開始時刻を示す縦軸方向の線分とをつなぐ予測時間帯Ｄａを、各パルスＡ、Ａ’、Ａ”とともにディスプレイ１３０に表示する。同図は、本実施の形態の負荷２の累積電力量の時間変化を示すもう一つのグラフである。
【００６４】
予測開始時刻通りに累積電力量がゼロから立上がる、三角形状をなすパルスＡ’と、長方形状をなす予測時間帯Ｄａとは、例えば、三角形と長方形とが１点で接する関係となっている。予測開始時刻よりも早く累積電力量がゼロから立上がる、三角形状をなすパルスＡと、長方形状をなす予測時間帯Ｄａとは、例えば、三角形と長方形とが重なる関係となっている。予測開始時刻よりも遅れて累積電力量がゼロから立上がる、三角形状をなすパルスＡと、長方形状をなす予測時間帯Ｄａとは、例えば、三角形と長方形とが分離する関係となっている。尚、本実施の形態では、予測時間帯Ｄａの縦軸方向の高さは任意であるが、パルスＡ’と、予測時間帯Ｄａとの配置関係が明確に視認できるような高さに設定されていることが好ましい。
【００６５】
このように、操作員は、図８の２次元グラフにおける三角形と長方形との時間軸方向の配置の特徴に基づいて、三角形と長方形とが１点で接しているパルスＡ’（予測精度が高い場合）を、他のパルスＡ、Ａ”（予測精度が低い場合）と容易に区別することができる。また、予測実施時刻と、これに対応する予測開始時刻とは、時間軸に平行な線分でつながって予測時間帯Ｄａとして表示されているため、操作員は、予測実施時刻と予測開始時刻との相互の関連付けを明確に視認できる。
【００６６】
尚、図８では、予測開始時刻及び予測終了時刻の両方の予測精度を検証できるように、それぞれに対応する予測時間帯が表示されているが、これに限定されるものではなく、例えば、予測開始時刻を検証するための予測時間帯のみが表示されるものであってもよい。
【００６７】
前述した実施の形態では、予測実施時刻を示す線分と、これに対応する予測終了時刻又は予測開始時刻を示す線分とは時間軸に平行な線分でつながっているが、これに限定されるものではない。２つの時刻を示す線分は、例えば縦軸方向の高さが異なってもよく、よって、これらをつなぐ線分も時間軸に対し非平行なものであってもよい。また、２つの時刻を示す線分は、その端部どうしがつながっていると限定されるものではなく、例えば、縦軸方向の中間点どうしがつながっていてもよい。更に、予測実施時刻を示す線分、予測終了（開始）時刻を示す線分、前記２つをつなぐ線分は、実線に限らず、例えば点線等であってもよい。特に、この２つをつなぐ線分は、グラフにおいて、予測実施時刻を示す線分と予測終了（開始）時刻を示す線分との間を、その周囲と区別可能に表示するものであればいかなるものであってもよい。
【００６８】
また、前述した実施の形態では、２次元グラフにおける予測終了時刻に対応する予測時間帯Ｃａ、Ｃｂの縦軸方向の高さは、総電力量ＳＡ、ＳＢにそれぞれ対応するものであったが、これに限定されるものではない。少なくとも、累積電力量の変化を示すパルスの形状と、予測時間帯の形状との時間軸方向の配置関係が明確に視認できるような高さに設定されていればよい。
【００６９】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００７０】
本発明の表示装置は、前述した負荷２の連続動作の終了又は開始の例示に限定されるものではなく、一般的な事象の発生時刻を予測した場合の人間系による予測精度の検証に適用できる。
【図面の簡単な説明】
【００７１】
【図１】本実施の形態の発電機、負荷、負荷動作予測装置、及び電力供給制御装置の構成例を示すブロック図である。
【図２】本実施の形態の負荷がもたらす負荷情報データの構成例を示す図表である。
【図３】負荷が消費する単位電力量の１年間にわたる時間経過の一例を示す時間ダイアグラムである、
【図４】本実施の形態の負荷が１サイクル分の操業をする際に消費する単位電力量及び累積電力量の時間変化の一例を示す時間ダイアグラムである。
【図５】本実施の形態の負荷動作予測装置が負荷動作の予測及び表示方法を実行する際の制御部の処理の手順の一例を示すフローチャートである。
【図６】本実施の形態の負荷の連続動作にともなう累積電力量の表示の時間経過を示すグラフである。
【図７】本実施の形態の負荷の累積電力量の時間変化を示すグラフである。
【図８】本実施の形態の負荷の累積電力量の時間変化を示すもう一つのグラフである。
【図９】横軸（時間軸）の時間に対し負荷の累積電力量の変化を縦軸に示すグラフである。
【図１０】図９のグラフにおけるパルスＡ”の表示の時間経過を示すグラフである。
【符号の説明】
【００７２】
１    発電機                        ２    負荷
３    流通経路                      １０  負荷動作予測装置
２０  電力供給制御装置              １００  制御部
１１０  受信部                      １２０  スピーカ
１３０  ディスプレイ                １４０  タイマ
１５０  ＲＯＭ                      １６０  ＲＡＭ
１６０ａ  負荷情報データ            １６０ｂ  動作開始条件データ
１６０ｃ  累積電力量データ          １６０ｄ  予測時間帯データ
【図１】
2008040911.tif 000003
【図２】
2008040911.tif 000004
【図５】
2008040911.tif 000005
【図６】
2008040911.tif 000006
【図７】
2008040911.tif 000007
【図９】
2008040911.tif 000008
【図１０】
2008040911.tif 000009
【図３】
2008040911.tif 000010
【図４】
2008040911.tif 000011
【図８】
2008040911.tif 000012